(57)【要約】【課題】  モジュール上に複数の文字板および見切板を積層させて組み付ける際に、これら全てを正確に位置決めして組み付けることができる文字板構造を提供する。【解決手段】  時計モジュール４のハウジング５上の２箇所に２本の位置決めピン１１を起立させて固定し、この状態で２本の位置決めピン１１を、第１の文字板６の２箇所に上下に貫通して設けられた第１位置決め孔１４、第１の見切板７の２箇所に上下に貫通して設けられた第２位置決め孔１５、第２の文字板８の２箇所に上下に貫通して設けられた第３位置決め孔１９に順次挿入させた。従って、時計モジュール４のハウジング５上に第１、第２の各文字板６、９および第１の見切板８を積層させて組み付ける際に、これら全てを時計モジュール４のハウジング５に対して正確に位置決めして組み付けることができる。【選択図】        図３
2010145206.tif 000002
【特許請求の範囲】
【請求項１】
周縁部の上面における少なくとも２箇所に取付穴がそれぞれ設けられたモジュールと、
このモジュール上に配置されて前記取付穴にそれぞれ対応する第１の位置決め孔が上下に貫通して設けられた第１の文字板と、
この第１の文字板上に配置されて前記第１の位置決め孔にそれぞれ対応する第２の位置決め孔が上下に貫通して設けられた枠形状の見切板と、
この見切板上に配置されて前記第２の位置決め孔にそれぞれ対応する第３の位置決め孔が上下に貫通して設けられた第２の文字板と、
前記モジュールの前記取付穴にそれぞれ挿入されて前記モジュール上に起立して固定され、この状態で前記第１の文字板における前記第１の位置決め孔、前記見切板における前記第２の位置決め孔、前記第２の文字板における前記第３の位置決め孔に順次挿入された２本の位置決め部材と
を備えたことを特徴とする文字板構造。
【請求項２】
前記見切板の下面における２箇所には、逃げ凹部が前記第２の位置決め孔にそれぞれ対応して設けられており、前記位置決め部材には、前記見切板の前記逃げ凹部内に配置され、且つ前記第１の文字板の上面を押える押え部が設けられていることを特徴とする請求項１に記載の文字板構造。
【請求項３】
前記第２の文字板上には、枠形状に形成された上側の見切板が配置されており、この上側の見切板における下面側には、前記位置決め部材の上端部が挿入する位置決め穴部が非貫通状態で前記第３の位置決め孔にそれぞれ対応して設けられていることを特徴とする請求項１または請求項２に記載の文字板構造。
【請求項４】
前記上側の見切板上には、最上部の見切板が配置されており、この最上部の見切板の下面には、少なくとも前記上側の見切板に設けられた切欠き部に挿入して位置決めされる位置決め突起部が設けられていることを特徴とする請求項３に記載の文字板構造。
【発明の詳細な説明】
【技術分野】
【０００１】
この発明は、腕時計などの時計に用いられる文字板構造に関する。
【背景技術】
【０００２】
従来、腕時計の文字板構造においては、特許文献１に記載されているように、腕時計ケースと、この腕時計ケース内に収納された指針を有する時計モジュールと、この時計モジュール上に設けられて指針が上方を運針する文字板と、この文字板の周縁部上に配置されて時字が設けられた時字パネルと、腕時計ケースの内面に設けられた鍔部上に固定されて時字パネルを位置決めする見切部材とを備えた構成のものが知られている。
【特許文献１】特開２０００−８８９７２
【０００３】
この種の文字板構造では、文字板と時字パネルとを別々に構成し、この時字パネルを文字板の周縁部上に配置して見切部材によって位置決めしていることにより、見切部材と時字パネルとが別々の部品であっても、時計モジュールを組み込む際、あるいは落下などの衝撃を受けた際に、見切部材に対して時字パネルが位置ずれすることがなく、見切部材と時字パネルとの位置ずれを防ぐことができる。
【発明の開示】
【発明が解決しようとする課題】
【０００４】
しかしながら、このような従来の文字板構造では、見切部材に対して時字パネルの位置ずれを防ぐことができても、時字パネルが文字板上に配置されているだけであるから、文字板に対する時字パネルの位置ずれを確実に防ぐことができないという問題がある。
【０００５】
この場合、例えば文字板が上文字板と下文字板とを重ね合わせた構成であり、この上文字板上に時字パネルを配置した際、上文字板に対して時字パネルを位置決めして配置することができても、時字パネルを下文字板および時計モジュールに対して位置決めすることができないため、下文字板および時計モジュールに対して時字パネルを正確に位置決めすることができないという問題がある。
【０００６】
この発明が解決しようとする課題は、モジュール上に複数の文字板および見切板を積層させて組み付ける際に、これら全てを正確に位置決めして組み付けることができる文字板構造を提供することである。
【課題を解決するための手段】
【０００７】
この発明は、上記課題を解決するために、次のような構成要素を備えている。
請求項１に記載の発明は、周縁部の上面における少なくとも２箇所に取付穴がそれぞれ設けられたモジュールと、このモジュール上に配置されて前記取付穴にそれぞれ対応する第１の位置決め孔が上下に貫通して設けられた第１の文字板と、この第１の文字板上に配置されて前記第１の位置決め孔にそれぞれ対応する第２の位置決め孔が上下に貫通して設けられた枠形状の見切板と、この見切板上に配置されて前記第２の位置決め孔にそれぞれ対応する第３の位置決め孔が上下に貫通して設けられた第２の文字板と、前記モジュールの前記取付穴にそれぞれ挿入されて前記モジュール上に起立して固定され、この状態で前記第１の文字板における前記第１の位置決め孔、前記見切板における前記第２の位置決め孔、前記第２の文字板における前記第３の位置決め孔に順次挿入された２本の位置決め部材とを備えたことを特徴とする文字板構造である。
【０００８】
請求項２に記載の発明は、前記見切板の下面における２箇所に、逃げ凹部が前記第２の位置決め孔にそれぞれ対応して設けられており、前記位置決め部材には、前記見切板の前記逃げ凹部内に配置され、且つ前記第１の文字板の上面を押える押え部が設けられていることを特徴とする請求項１に記載の文字板構造である。
【０００９】
請求項３に記載の発明は、前記第２の文字板上に、枠形状に形成された上側の見切板が配置されており、この上側の見切板における下面側には、前記位置決め部材の上端部が挿入する位置決め穴部が非貫通状態で前記第３の位置決め孔にそれぞれ対応して設けられていることを特徴とする請求項１または請求項２に記載の文字板構造である。
【００１０】
請求項４に記載の発明は、前記上側の見切板上に、最上部の見切板が配置されており、この最上部の見切板の下面には、少なくとも前記上側の見切板に設けられた切欠き部に挿入して位置決めされる位置決め突起部が設けられていることを特徴とする請求項３に記載の文字板構造である。
【発明の効果】
【００１１】
この発明によれば、モジュール上の少なくとも２箇所に２本の位置決め部材を起立させて固定し、この状態で２本の位置決め部材を、第１の文字板の２箇所に上下に貫通して設けられた第１の位置決め孔、見切板の２箇所に上下に貫通して設けられた第２の位置決め孔、第２の文字板の２箇所に上下に貫通して設けられた第３の位置決め孔に順次挿入することができる。このため、モジュール上に複数の文字板および見切板を積層させて組み付ける際に、これらの全てを正確に位置決めして組み付けることができる。
【発明を実施するための最良の形態】
【００１２】
以下、図１〜図４を参照して、この発明を指針式の腕時計に適用した一実施形態について説明する。
この指針式の腕時計は、図１に示すように、腕時計ケース１を備えている。この腕時計ケース１の上部には、図３に示すように、時計ガラス２が取り付けられており、この腕時計ケース１の下面には、裏蓋４が取り付けられている。また、この腕時計ケース１の内部には、図２〜図４に示すように、時計モジュール４が設けられている。
【００１３】
この時計モジュール４は、指針４ａを運針する時計ムーブメント（図示せず）を収容したハウジング５を備えている。このハウジング５の上側には、図２〜図４に示すように、下側から順に、第１の文字板６、第１の見切板７、第２の文字板８、第２の見切板９、および第３の見切板１０が配置されている。また、ハウジング５の周縁部における２箇所（図２〜図４では１箇所のみを示す。）には、図２および図３に示すように、位置決めピン１１が起立した状態で設けられている。
【００１４】
この位置決めピン１１は、図２および図３に示すように、その下部側がハウジング５の周縁部に設けられた取付穴１２内に上方から挿入されて固定されることにより、その上部側がハウジング５の上方に突出した状態で垂直に起立するように構成されている。この場合、ハウジング５内に位置する位置決めピン１１の下部側は、その下端部が小径部１１ａに形成され、その上側が大径部１１ｂに形成されている。これに伴って、ハウジング５の取付穴１２は、その下部側が小径部１２ａに形成され、その上部側が大径部１２ｂに形成されている。
【００１５】
これにより、位置決めピン１１は、図２および図３に示すように、その下端部の小径部１１ａがハウジング５の取付穴１２の小径部１２ａに嵌合し、その上側の大径部１１ｂが取付穴１２の大径部１２ｂに嵌合することにより、ハウジング５に強固に固定されて、その上部側がハウジング５の上方に突出し、この突出した上部側がハウジング５に対して垂直に起立するように構成されている。
【００１６】
一方、第１の文字板６は、図２〜図４に示すように、ほぼ円形の平板状に形成され、時計モジュール４のハウジング５上に配置されている。この第１の文字板６における外周部の所定箇所、つまりハウジング５の取付穴１２にそれぞれ対応する箇所付近には、図４に示すように、鍔状の突起部１３が設けられており、この鍔状の突起部１３には、図３および図４に示すように、位置決めピン１１が挿入する第１位置決め孔１４がハウジング５の取付穴１２にそれぞれ対応して設けられている。
【００１７】
この場合、第１位置決め孔１４は、図３に示すように、突起部１３の上下に貫通すると共に、突起部１３の外周縁にも開放されていることにより、位置決めピン１１の圧入に応じて突起部１３が押し広げられるように弾性変形して、第１位置決め孔１４の内径が広がる方向に変化するように構成されている。この第１の文字板６は、図３に示すように、位置決めピン１１が第１位置決め孔１４に挿入して元の形状に弾性復帰することにより、時計モジュール４のハウジング５上に位置決めされて配置されるように構成されている。
【００１８】
第１の見切板７は、図２〜図４に示すように、全体がリング形状に形成されて、第１の文字板６の周縁部上に配置されている。この第１の見切板７は、図２および図３に示すように、その内径が第１の文字板６の外径よりも少し小さく形成され、その外径がハウジング５の外径よりも少し大きく形成され、且つ厚みが第１の文字板６よりも厚く形成されている。また、この第１の見切板７の所定箇所には、位置決めピン１１が挿入する第２位置決め孔１５が第１の文字板６における第１位置決め孔１４にそれぞれ対応して設けられている。
【００１９】
この第１の見切板７における第２位置決め孔１５に対応する箇所の下面には、図２〜図４に示すように、逃げ凹部１６が第１の文字板６における突起部１３に対応して設けている。これにより、第２位置決め孔１５は、逃げ凹部１６なおのほぼ中心部に位置し、且つこの逃げ凹部１６を介して第１の見切板７の上下に貫通している。この第１の見切板７は、図２に示すように、位置決めピン１１が第２位置決め孔１５に挿入することにより、第１の文字板６上に位置決めされて配置されるように構成されている。
【００２０】
この場合、位置決めピン１１の外周には、図２に示すように、第１の見切板７における逃げ凹部１６内に配置されて第１の文字板６の上面を押える押え部１７が設けられている。この押え部１７は、その上部側の外径が第１の文字板６における第１位置決め孔１４の内径とほぼ同じ大きさに形成され、下部側の外径が第１位置決め孔１４の内径よりも少し大きく形成されている。
【００２１】
これにより、押え部１７は、図３に示すように、位置決めピン１１が第１の文字板６における第１位置決め孔１４に挿入されると、この第１位置決め孔１４を突起部１３と共に押し広げて貫通し、第１の見切板７における逃げ凹部１６内に配置されて、突起部１３が元の形状に弾性復帰した際に、押え部１７の下部外周における下面が第１の文字板６における突起部１３の上面を上方から押え付け、第１の文字６がハウジング５上に浮き上がるのを防ぐように構成されている。
【００２２】
第２の文字板８は、ポリカーボネート（ＰＣ）やアクリル（ＰＭＭＡ）などの透明または半透明の合成樹脂からなり、図２〜図４に示すように、全体がほぼ円形の平板状に形成され、第１の見切板７上に配置されている。この第２の文字板８は、その外径が第１の文字板６の外径とほぼ同じ大きさに形成され、この外周部に鍔状の突起部１８が第１の文字板６における突起部１３と対応して設けられた構成になっている。
【００２３】
この鍔状の突起部１８には、図２および図３に示すように、位置決めピン１１が挿入する第３位置決め孔１９が、第１の見切板７における第２位置決め孔１５にそれぞれ対応した状態で、上下に貫通して設けられている。この第２の文字板８は、図２および図３に示すように、位置決めピン１１が第３位置決め孔１９に挿入することにより、第１の見切板７上に位置決めされて配置されるように構成されている。
【００２４】
第２の見切板９は、図２〜図４に示すように、全体がリング形状に形成されて、第２の文字板８における周縁部上に配置されている。この第２の見切板９は、図２に示すように、第１の見切板７とほぼ同じ大きさに形成されている。この場合、第２の見切板９は、図３に示すように、その内周側の厚みが厚く形成されている。この厚く形成された内周側の上面には、テーパ面９ａが形成されている。また、第２の見切板９における外周側の厚みは、第２の文字板８の厚みとほぼ同じ厚みで、内周側の厚みよりも薄く形成されている。これにより、内周側と外周側との境界部分には、傾斜部９ｂが形成されている。
【００２５】
この第２の見切板９における厚みの厚い内周側の下面の所定箇所には、図２〜図４に示すように、位置決めピン１１が下側から挿入する第４位置決め穴部２０が非貫通状態で第２の文字板８における第３位置決め孔１９にそれぞれ対応して設けられている。この第２の見切板９は、図３に示すように、位置決めピン１１が第４位置決め穴部２０に下側から挿入することにより、位置決めピン１１の上端部が上側に露出しない状態で、第２の文字板８上に位置決めされて配置されるように構成されている。
【００２６】
第３の見切板１０は、図２〜図４に示すように、全体がリング形状に形成されて、第２の見切板９における周縁部上に配置されている。この第３の見切板１０は、図２および図３に示すように、その内径が第２の見切板９における内周側のテーパ面９ａの外径とほぼ同じ大きさに形成され、その外径が第２の見切板９の外径よりも大きく、且つ時計ガラス２の外径とほぼ同じ大きさに形成されている。
【００２７】
この場合、第３の見切板１０は、その上面が外周側から内周側に向けて緩やかに傾斜するテーパ面１０ａに形成され、外周側の縁部が平坦面に形成され、この平坦面上に時計ガラス２の外周部が配置されるように構成されている。また、この第３の見切板１０における内周側下面には、第２の見切板９の内周側と外周側との境界部分に設けられた傾斜部９ｂ上に配置される支持突起２１が設けられている。
【００２８】
この第３の見切板１０における下面の所定箇所には、図４に示すように、位置決め突起部２２が下側に突出して設けられている。この位置決め突起部２２は、第２の見切板９に設けられた位置決めようの第１切欠け部２３、および第２の見切板７に設けられた第２切欠き部２４に上方から順次挿入することにより、第１、第２の各見切板７、９に対して位置決めされるように構成されている。
【００２９】
次に、この指針式の腕時計における時計モジュール４上に第１、第２の各文字板６、８および第１〜第３の各見切板７、９、１０を組み付ける場合について説明する。
まず、時計モジュール４のハウジング５における周縁部の所定の２箇所に設けられた各取付穴１２に２本の位置決めピン１１をそれぞれ取り付ける。このときには、位置決めピン１１の下部側をハウジング５の取付穴１２に上方から挿入させて、位置決めピン１１の上部側をハウジング５上に突出させて垂直に起立させた状態で、位置決めピン１１の下部側を時計モジュール４のハウジング５に固定する。
【００３０】
この状態で、第１の文字板６を時計モジュール４のハウジング５上に配置する。このときには、ハウジング５に取り付けられた位置決めピン１１を第１の文字板６における第１位置決め孔１４に下側から挿入させて貫通させる。このとき、位置決めピン１１の押え部１７が第１位置決め孔１４を突起部１３と共に押し広げて貫通すると、押え部１７の下部外周の下面が第１の文字板６における突起部１３の上面を押え付ける。これにより、第１の文字板６がハウジング５の上面に浮き上がることなく密着した状態で位置決めされて配置される。
【００３１】
この後、第１の見切板７を第１の文字板６上に配置する。このときにも、第１の文字板６の上方に突出した位置決めピン１１を第１の見切板７における第２位置決め孔１５に下側から挿入させて貫通させる。このときには、位置決めピン１１の押え部１７が第１の見切板７における逃げ凹部１６内に配置される。これにより、第１の見切板７が第１の文字板６における周縁部の上面に密着した状態で、第１の見切板７が第１の文字板６上に位置決めされて配置される。
【００３２】
この状態で、第２の文字板８を第１の見切板７上に配置する。このときにも、第１の見切板７の上方に突出した位置決めピン１１を第２の文字板８における第３位置決め孔１９に下側から挿入させて貫通させる。これにより、第２の文字板８における周縁部の下面が第２の見切板７の上面に密着した状態で、第２の文字板８が第１の見切板７上に位置決めされて配置される。
【００３３】
この後、第２の見切板９を第２の文字板８上に配置する。このときにも、第２の文字板８の上方に突出した位置決めピン１１を第２の見切板９における第４位置決め穴部２０に下側から挿入させる。このときには、第４の位置決め穴部２０が第２の見切板９に非貫通状態で設けられているので、位置決めピン１１の上部が第２の見切板９の上方に露出することなく第４の位置決め穴部２０内に挿入する。これにより、第２の見切板９の下面が第２の文字板８における周縁部の上面に密着した状態で、第２の見切板９が第２の文字板８上に位置決めされて配置される。
【００３４】
この状態で、第３の見切板１０を第２の見切板９上に配置する。このときには、第３の見切板１０の下面に設けられた位置決め突起部２１を第２の見切板９に設けられた位置決め用の第１切欠け部２３、および第２の見切板７に設けられた位置決め用の第２切欠き部２４に上方から順次挿入する。これにより、第３の見切板１０の下面に設けられた支持突起２１が第２の見切板９の内周側と外周側との境界部分に設けられた傾斜部９ｂ上に配置された状態で、第３の見切板１０が第２の見切板９上に位置決めされて配置される。
【００３５】
このように、この指針式の腕時計における文字板構造によれば、時計モジュール４のハウジング５の少なくとも２箇所に２本の位置決めピン１１を起立させて固定し、この状態で２本の位置決めピン１１を、第１の文字板６の２箇所に上下に貫通して設けられた第１位置決め孔１４、第１の見切板７の２箇所に上下に貫通して設けられた第２位置決め孔１５、第２の文字板８の２箇所に上下に貫通して設けられた第３位置決め孔１９に順次挿入することができる。このため、時計モジュール４のハウジング５上に第１、第２の各文字板６、８および第１の見切板７を積層させて組み付ける際に、これら全てが相対的な位置ずれを起こすことなく、これらの全てを時計モジュール４のハウジング５に対して正確に位置決めして組み付けることができる。
【００３６】
すなわち、時計モジュール４のハウジング５には、その周縁部における上面の少なくとも２箇所に取付穴がそれぞれ設けられ、このハウジング５上に配置される第１の文字板６には、取付穴１２にそれぞれ対応する第１位置決め孔１４が上下に貫通して設けられ、この第１の文字板６上に配置されるリング形状の第１の見切板７には、第１位置決め孔１４にそれぞれ対応する第２位置決め孔１５が上下に貫通して設けられ、この第１の見切板７上に配置される第２の文字板８には、第２位置決め孔１５にそれぞれ対応する第３位置決め孔１９が上下に貫通して設けられているので、ハウジング５の各取付穴１２にそれぞれ挿入されてハウジング５上に起立して固定された２本の位置決めピン１１によって、時計モジュール４のハウジング５上に第１、第２の各文字板６、８および第１の見切板７を正確に位置決めして組み付けることができる。
【００３７】
この場合、第１の見切板７の下面における２箇所には、逃げ凹部１６が第２位置決め孔１５にそれぞれ対応して設けられており、位置決めピン１１には、第１の見切板７の逃げ凹部１６内に配置されて、第１の文字板６の上面を押える押え部１７が設けられていることにより、位置決めピン１１が第１の文字板６における第１位置決め孔１４に挿入されて押え部１７が貫通し、この貫通した押え部１７が第１の見切板７における逃げ凹部１６内に配置された際に、押え部１７の下部外周の下面が第１の文字板６における周縁部の上面を上方から押え付けることができ、これにより第１の文字６がハウジング５上に浮き上がるのを防いで、第１の文字板６をハウジング５の上面に密着させた状態で正確に位置決めして配置することができる。
【００３８】
また、この文字板構造によれば、第２の文字板８上に、リング形状に形成された第２の見切板９が配置されており、この第２の見切板９における下面側に、位置決めピン１１の上端部が挿入する第４位置決め穴部２０が非貫通状態で第３位置決め孔１９にそれぞれ対応して設けられているので、第２の文字板８に第２の見切板９を重ね合わせて配置する際に、第２の文字板８上に突出した位置決めピン１１の上端部を第２の見切板９の第４位置決め穴部２０に挿入させることにより、第２の見切板９を第２の文字板８の上面に密着させた状態で正確に位置決めして配置することができるほか、位置決めピン１１の上端部が上方から見えないように隠すことができ、これにより外観性およびデザイン性に優れたものを提供することができる。
【００３９】
さらに、この文字板構造によれば、第２の見切板９上に第３の見切板１０が配置されており、この第３の見切板１０における下面の所定箇所には、位置決め突起部２２が下側に突出して設けられ、この位置決め突起部２２が、第２の見切板９に設けられた位置決め用の第１切欠け部２３、および第２の見切板７に設けられた位置決め用の第２切欠き部２４に上方から順次挿入することにより、第１、第２の各見切板７、９に対して位置決めされているので、第２の見切板９上に第３の見切板１０を重ね合わせて配置しても、第３の見切板１０を第２の見切板９の上面に正確に位置決めして配置することができると共に、これによっても外観性およびデザイン性に優れたものを提供することができる。
【００４０】
なお、上記実施形態では、指針式の腕時計に適用した場合について述べたが、必ずしも腕時計である必要はなく、例えばトラベルウオッチ、目覚まし時計、置き時計、掛け時計などの各種の指針式の時計に広く適用することができる。
【図面の簡単な説明】
【００４１】
【図１】この発明を適用した指針式の腕時計の一実施形態を示した正面図である。
【図２】図１の腕時計における要部を破断して示した斜視図である。
【図３】図２の腕時計の要部を示した拡大断面図である。
【図４】図２の時計モジュール上に配置される複数の文字板および複数の見切板を分解して裏面側から見た斜視図である。
【符号の説明】
【００４２】
１  腕時計ケース
４  時計モジュール
５  ハウジング
６  第１の文字板
７  第１の見切板
８  第２の文字板
９  第２の見切板
１０  第３の見切板
１１  位置決めピン
１２  取付穴
１４  第１位置決め孔
１５  第２位置決め孔
１６  逃げ凹部
１７  押え部
１９  第３位置決め孔
２０  第１位置決め穴部
２２  位置決め突起部
２３  第１切欠き部
２４  第２切欠き部
【図１】
2010145206.tif 000003
【図２】
2010145206.tif 000004
【図３】
2010145206.tif 000005
【図４】
2010145206.tif 000006